(57)【要約】【課題】ディスプレイに表示された複数のアルバム名の中から選択して再生したいアルバムのアルバム名を直感的に認識することができる車載用オーディオ装置を提供する。【解決手段】ＣＤケース挿入口の奥側に設けられ、該ＣＤケース挿入口に挿入されるＣＤケースの背表紙に表示されている背表紙画像の情報を読み取るスキャナ部５と、背表紙画像の情報とそれに対応したＣＤもしくは該ＣＤの音楽情報を記録したファイルとを関連付けしたデータとして保存する記憶媒体１８と、ファイル再生部１５で再生中のファイル、および記憶媒体１８に記録されている複数の別のファイルに対し、これらのファイルにそれぞれ対応している前記各背表紙画像の情報を記憶媒体１８に保存されているデータから抽出して、各背表紙画像を並べるようにしてディスプレイ９に表示させる表示制御部１９とを有している。【選択図】図２
2007272942.tif 000002
【特許請求の範囲】
【請求項１】
オーディオディスク記録媒体に記録されている少なくとも音楽情報を再生する第１の再生手段と、複数の前記オーディオディスク記録媒体に記録されている音楽情報を装置本体に内蔵している第１の記憶媒体にファイルとしてそれぞれ記録し、前記第１の記憶媒体に記録した前記ファイルを再生する第２の再生手段と、様々な情報を表示自在な表示手段とを備えた車載用オーディオ装置において、
前記オーディオディスク記録媒体を収納しているオーディオディスク収納ケースの横長状の背表紙側を所定位置まで挿入自在なケース挿入口と、
前記ケース挿入口の奥側に設けられ、該ケース挿入口に挿入される前記オーディオディスク収納ケースの背表紙に表示されている背表紙画像の情報を読み取るスキャナ手段と、
前記背表紙画像の情報とそれに対応した前記第１の記憶媒体に記録したファイルとを関連付けしたデータとして保存する第２の記憶媒体と、
前記第２の再生手段で再生中のファイル、および前記第１の記憶媒体に記録されている複数の別のファイルに対し、これらのファイルにそれぞれ対応している前記各背表紙画像の情報を前記第２の記憶媒体に保存されている前記データから抽出して、前記各背表紙画像を並べるようにして前記表示手段に表示させる表示制御手段と、を有する、
ことを特徴とする車載用オーディオ装置。
【請求項２】
前記スキャナ手段で読み取った前記背表紙画像を前記表示手段の表示サイズに合わせて加工する画像加工手段を有する、
ことを特徴とする請求項１に記載の車載用オーディオ装置。
【請求項３】
前記ケース挿入口に前記オーディオディスク収納ケースの背表紙側が所定位置まで挿入されるのに合わせてスキャナ開始スイッチがオンされ、前記スキャナ手段によるスキャナ動作が開始される、
ことを特徴とする請求項１または２に記載の車載用オーディオ装置。
【発明の詳細な説明】
【技術分野】
【０００１】
本発明は、車両に搭載されるＣＤ（Ｃｏｍｐａｃｔ Ｄｉｓｃ）等のオーディオディスク記録媒体の再生機能を有し、かつディスプレイを備えた車載用オーディオ装置に関する。
【背景技術】
【０００２】
一般的な車両（自動車）には、音楽などを記録したＣＤ等のオーディオディスク記録媒体を再生する車載用オーディオ装置がインストルメントパネルに設置されており、走行中などにおいてＣＤ等を再生して音楽などを車室内で聞くことができる。オーディオディスク記録媒体としてのＣＤは、一般にＣＤジャケットを備えたＣＤケース（プラスチックケース）内に収納されており、このＣＤジャケットには収録されている曲目名などが印刷されている。
【０００３】
ところで、ＣＤを収納したＣＤケースを車室内に複数枚持ち込んでいるときには、現在再生中のＣＤの情報（例えば、収録されている曲目名など）を確認したり知りたい場合がある。この場合、走行中においては、運転者が直接手にとってそのＣＤケースのＣＤジャケットを見ることは運転者の視線移動が大きく、安全運転上好ましくなかった。
【０００４】
そこで、再生中のＣＤのＣＤジャケットをスキャナしてディスプレイに表示させ、運転者の視線移動を小さくしてＣＤの情報（例えば、収録されている曲目名など）を容易に認識することができる装置が提案されている（例えば、特許文献１参照）。
【特許文献１】特開２００４−２６５５２６号公報
【発明の開示】
【発明が解決しようとする課題】
【０００５】
ところで、前記特許文献１に記載のような装置構成では、再生中のＣＤに対してはそのＣＤジャケットの画像をディスプレイに表示することができるが、最近の車載用オーディオ装置のように、ＣＤの音楽情報をＭＰ３やＷＭＡ等の圧縮フォーマットのファイル（以下、ＣＤから作製できた収録されている各曲の圧縮データを「ファイル」という）に変換してこのファイルを再生自在な、いわゆるハードディスク装置（ＨＤＤ）を内蔵している場合には、このハードディスク装置で再生中のアルバム（以下、１枚のＣＤから録音（記録）された前記ファイルの集まりを「アルバム」という）に対してそのアルバム名（ＣＤのタイトル名）をディスプレイに表示することができなかった。
【０００６】
また、ハードディスク装置を内蔵している車載用オーディオ装置では、ハードディスク装置に録音されている複数のアルバム中から特定のアルバムを操作者（運転者など）が選択して再生する場合は、操作ボタンの操作によって特定のアルバムを選択して再生することが可能である。この際、選択可能なアルバムが複数ある場合は、選択したアルバムを含む複数のアルバムのアルバム名が、予め設定されている同一のフォント、同一の色で縦または横に並べてディスプレイに表示される。
【０００７】
このため、操作者（運転者など）は、ディスプレイ上の各列の各アルバム名を表示している文字や数字等をよく読まないと、選択して再生する特定のアルバムを認識することができなかった。
【０００８】
そこで、本発明は、内蔵しているハードディスク装置に録音されている複数のアルバムのアルバム名（ＣＤのタイトル名）をディスプレイに表示することができ、かつ、ディスプレイに表示された複数のアルバム名の中から選択して再生したいアルバムのアルバム名を直感的に容易に認識することができる車載用オーディオ装置を提供する。
【課題を解決するための手段】
【０００９】
前記目的を達成するために本発明は、オーディオディスク記録媒体に記録されている少なくとも音楽情報を直接的に再生する第１の再生手段と、複数の前記オーディオディスク記録媒体に記録されている音楽情報を装置本体に内蔵している第１の記憶媒体にファイルとしてそれぞれ記録し、前記第１の記憶媒体に記録した前記ファイルを再生する第２の再生手段と、様々な情報を表示自在な表示手段とを備えた車載用オーディオ装置において、前記オーディオディスク記録媒体を収納しているオーディオディスク収納ケースの横長状の背表紙側を所定位置まで挿入自在なケース挿入口と、前記ケース挿入口の奥側に設けられ、該ケース挿入口に挿入される前記オーディオディスク収納ケースの背表紙に表示されている背表紙画像の情報を読み取るスキャナ手段と、前記背表紙画像の情報とそれに対応した前記第１の記憶媒体に記録したファイルとを関連付けしたデータとして保存する第２の記憶媒体と、前記第２の再生手段で再生中のファイル、および前記第１の記憶媒体に記録されている複数の別のファイルに対し、これらのファイルにそれぞれ対応している前記各背表紙画像の情報を前記第２の記憶媒体に保存されている前記データから抽出して、前記各背表紙画像を並べるようにして前記表示手段に表示させる表示制御手段と、を有することを特徴としている。
【００１０】
また、請求項２に係る本発明は、前記スキャナ手段で読み取った前記背表紙画像を前記表示手段の表示サイズに合わせて加工する画像加工手段を有することを特徴としている。
【００１１】
また、請求項３に係る本発明は、前記ケース挿入口に前記オーディオディスク収納ケースの背表紙側が所定位置まで挿入されるのに合わせてスキャナ開始スイッチがオンされ、前記スキャナ手段によるスキャナ動作が開始されることを特徴としている。
【発明の効果】
【００１２】
本発明に係る車載用オーディオ装置によれば、第２の再生手段で再生中のファイル、および第１の記憶媒体に記録されている複数の別のファイルに対し、これらのファイルにそれぞれ対応している各背表紙画像の情報を第２の記憶媒体に保存されている前記データから抽出して、これらの背表紙画像を並べるようにして表示手段に表示させることができる。
【００１３】
よって、表示手段には、各ファイルに対応している各背表紙画像のフォント文字、色等がそのまま表示されるので、操作者（運転者など）は、各背表紙画像の情報（ＣＤのタイトル名等）を直感的に認識することができる。
【発明を実施するための最良の形態】
【００１４】
以下、本発明を図示の実施形態に基づいて説明する。図１は、本発明の実施形態に係る車載用オーディオ装置を示す斜視図、図２は、本発明の実施形態に係る車載用オーディオ装置の構成を示すブロック図である。なお、本実施形態に係る車載用オーディオ装置は、オーディオディスク記録媒体としてのＣＤ（以下の説明ではＤＶＤも含む）に記録されている音楽情報の再生機能、およびこの再生と同時に内蔵しているハードディスク装置（ＨＤＤ）に当該音楽情報を録音（記録）して再生する機能も有している。
【００１５】
図１に示すように、本実施形態に係る車載用オーディオ装置１は、装置本体２と、この装置本体２の前面側に略水平位置まで傾動自在な操作パネル部３とを有している。この車載用オーディオ装置１は、例えば２ＤＩＮサイズの大きさであり、車両（自動車）のインストルメントパネル（不図示）に設置される。
【００１６】
装置本体２の前面部には、音楽情報等を記録したＣＤを挿入／排出するためのＣＤ挿入部４と、この挿入部の下にスキャナ部５が設けられている。音楽情報等を記録したＣＤは、図３に示すように、開閉自在なＣＤケース（プラスチックケース）６に収納されており、ＣＤケース６内にはＣＤジャケット７が添付されている。このＣＤジャケット７の表面には、記録されている音楽情報に対応したアーティスト名、写真、イラスト等が印刷されている。また、ＣＤケース６の背表紙７ａには、一般に収納されているＣＤのタイトル名（アルバム名）等が印刷されている。
【００１７】
スキャナ部５は、図１に示すように、ＣＤケース６の背表紙７ａ側が入る大きさに形成された横長で凹状のＣＤケース挿入口８から数センチ程度奥側に設置されており、ＣＤケース挿入口８に挿入されるＣＤケース６内の背表紙７ａを読み取る周知のスキャナユニット（不図示）を有している。ＣＤケース挿入口８は、ＣＤケース６の背表紙７ａ側が挿入されたときにＣＤケース６から手を離しても抜け落ちない程度の奥行きを有している。また、ＣＤケース挿入口８内には、ＣＤケース６の背表紙７ａ側を挿入したときに自動的にＯＮするスキャナ開始スイッチ（不図示）が設けられている。
【００１８】
操作パネル部３には、様々な情報を表示する液晶パネルのディスプレイ９と、複数の操作ボタン１０を有している。なお、本実施形態では、押圧してＯＮ／ＯＦＦする操作ボタン１０を用いているが、これ以外にもディスプレイ９上のタッチパネル式の操作ボタンでもよい。操作パネル部３の両側とケース本体２側には、操作パネル部３を装置本体２の前面側に略水平位置まで傾動させる傾動機構（不図示）が設けられており、操作パネル部３には、この傾動機構を作動させるための開閉スイッチ（不図示）が設けられている。
【００１９】
また、装置本体２内には、図２に示すように、車載用オーディオ装置１で再生している音楽情報に対応したＣＤケース６の背表紙７ａ（図３参照）の画像情報（以下、背表紙画像という）をディスプレイ９に表示させるための背表紙画像表示ユニット部１１と、車載用オーディオ装置１全体を制御する主制御部１２と、ファイル録音部１３と、ファイル録音部１３で圧縮されたファイルを記録するハードディスクやＳＤカードなどの記憶媒体１４と、ファイル再生部１５（第２の再生手段）と、ＣＤ再生部１６（第１の再生手段）を備えている。なお、ファイル録音部１３と、記憶媒体１４と、ファイル再生部１５は、装置本体２に内蔵されている前記したハードディスク装置に相当する。また、ディスプレイ９に表示される背表紙画像は、ファイル再生部１５により再生されるアルバムのアルバム名（ＣＤのタイトル名）に対応している。
【００２０】
ファイル録音部１３は、ＣＤ挿入部４からＣＤ再生部１６に挿入された音楽情報等を記録したＣＤの音楽情報等をＭＰ３やＷＭＡ等の圧縮フォーマットのファイルに変換して複写録音（記録）する。この複写録音（記録）されたファイルは記憶媒体１４に記録（保存）される。ファイル再生部１５は、記憶媒体１４に記録された前記圧縮フォーマットのファイルを再生する。また、ＣＤ再生部１６は、ＣＤ挿入部４から挿入された音楽情報等を記録したＣＤを再生する。
【００２１】
背表紙画像表示ユニット部１１は、スキャナ部５で読み取ったＣＤケース６の背表紙７ａの画像情報（アルバム名等）をディスプレイ９のサイズに合わせて編集加工する画像加工部１７と、編集加工した背表紙画像（アルバム名）とそれに対応する前記記憶媒体１４に記録されたファイル（アルバム）との関連付け情報を背表紙画像データベースとして保存するハードディスクなどの記憶媒体１８と、ファイル再生部１５により再生中のファイル（アルバム）に対応した背表紙画像を記憶媒体１８に記録している背表紙画像データベースから抽出してディスプレイ９に表示させる表示制御部１９を有している。
【００２２】
次に、前記した本実施形態に係る車載用オーディオ装置１による再生中のファイルに対応したＣＤの背表紙画像（アルバム名）を取得（保存）するまでの動作を、図４に示すフローチャートを参照して説明する。
【００２３】
まず、ファイル再生部１５により、記憶媒体１４に記録されているファイルを再生中においては（ステップＳ１）、通常は図５に示すように、操作パネル部３が装置本体２の前面に位置している。再生中のファイルは、ファイル録音部１３により、ＣＤ挿入部４からＣＤ再生部１６に挿入された音楽情報等を記録したＣＤの音楽情報等をＭＰ３やＷＭＡ等の圧縮フォーマットで圧縮されたファイルである。
【００２４】
そして、運転者などの操作者が開閉スイッチ（不図示）を押圧して傾動機構（不図示）を作動させ、図１に示したように、操作パネル部３を装置本体２の前面側に略水平位置まで傾動させる（ステップＳ２）。これにより、装置本体２の前面のＣＤ挿入部４およびＣＤケース挿入口８が露出する。
【００２５】
そして、操作者（運転者など）が手にしたＣＤケース６（図３参照）の背表紙７ａ側をＣＤケース挿入口８に挿入する（ステップＳ３）。なお、このＣＤケース６の背表紙７ａは、ステップＳ１で再生中のファイルに対応したものである。ＣＤケース６の背表紙７ａ側はＣＤケース挿入口８内に数センチ入った状態で保持され、同時にスキャナ開始スイッチ（不図示）がＯＮされる。
【００２６】
これにより、ＣＤケース挿入口８の奥に位置しているスキャナ部５のスキャナユニット（不図示）が作動して、背表紙７ａのスキャンを開始する（ステップＳ４）。そして、このスキャンにより背表紙画像としてのアルバム名を取得する（ステップＳ５）。そして、取得されたアルバム名（背表紙画像）は、画像加工部１７にてディスプレイ９に適切に表示できるように画像サイズ（画像の向きや大きさ）が変更（加工）される（ステップＳ６）。
【００２７】
そして、ステップＳ１で再生中のファイル（アルバム）とそれに対応したアルバム名（背表紙画像）との関連付けを行い（ステップＳ７）、これらの関係データを背表紙画像データベースとして記憶媒体１８に保存する（ステップＳ８）。
【００２８】
このように、複数のファイル（アルバム）と対応したアルバム名（背表紙画像）を背表紙画像データベースとして記憶媒体１８に保存しておくことにより、ファイル再生部１５によるファイル（アルバム）の再生時において、表示制御部１９により再生中のファイル（アルバム）に対応したアルバム名（背表紙画像）を、記憶媒体１８に記録している背表紙画像データベースから抽出してディスプレイ９に容易に表示させることができる。
【００２９】
次に、複数のアルバム中から再生したいアルバムを選択する際の動作を、図６に示すフローチャートを参照して説明する。なお、このときは、図５に示したように、操作パネル部３が装置本体２の前面に位置している。
【００３０】
まず、ファイル再生部１５により、記憶媒体１４に記録されている任意のアルバム（ファイル）が再生中である（ステップＳ１１）。
【００３１】
そして、操作者（運転者など）が別のアルバム（ファイル）に変更して再生させたい場合、操作パネル部３上の所定の操作スイッチ１０を押圧することにより、主制御部１２から表示制御部１９にアルバム変更指令が出力され（ステップＳ１２；ＹＥＳ）、表示制御部１９はディスプレイ９に表示するアルバム名の候補を記憶媒体１４から複数取得する（ステップＳ１３）。なお、操作者（運転者など）が別のアルバム（ファイル）に変更する意思がない場合（ステップＳ１２；ＮＯ）は、ステップＳ１１でのアルバム（ファイル）の再生を継続する。
【００３２】
そして、候補になったアルバム名に対応した背表紙画像が記憶媒体１８の背表紙画像データベースに関連付けされていれば（ステップＳ１４；ＹＥＳ）、それらのアルバム名（背表紙画像）を取得（抽出）し（ステップＳ１５）、選択候補の複数のアルバム名をディスプレイ９に表示する（ステップＳ１６）。なお、候補になったアルバム名に対応した背表紙画像が記憶媒体１８の背表紙画像データベースに関連付けされていなければ（ステップＳ１４；ＮＯ）、予め設定されている通常のフォントでアルバム名をディスプレイ９に表示する（ステップＳ１７）。
【００３３】
図７は、ディスプレイ９に表示された選択候補の複数のアルバム名（背表紙画像）の一例を示す図である。
【００３４】
ステップＳ１１で再生中のアルバムのアルバム名が、ディスプレイ９に表示されている“ＦＯＬＤＥＲ−ＣＣＣＣＣ”であるとする。図７に示した表示において、このアルバムに対応した“ＦＯＬＤＥＲ−ＣＣＣＣＣ”のアルバム名（背表紙画像）をディスプレイ９の中央に配置し、次に再生候補となる複数のアルバムのアルバム名（背表紙画像）をその前後に配置している。図７では、“ＦＯＬＤＥＲ−ＣＣＣＣＣ”の上側に“ＦＯＬＤＥＲ−ＢＢＢＢＢ”と“ＦＯＬＤＥＲ−ＡＡＡＡＡ”が位置し、“ＦＯＬＤＥＲ−ＣＣＣＣＣ”の下側に“ＦＯＬＤＥＲ−ＤＤＤＤＤ”と“ＦＯＬＤＥＲ−ＥＥＥＥＥ”が位置している。
【００３５】
なお、ディスプレイ９に表示されているこれらのアルバム名は、スキャナ部５でスキャナされたＣＤケース６の背表紙画像である。よって、表示されている各アルバム名は、フォントや色等がそれぞれ異なっている。
【００３６】
図７に示した表示では、再生中のアルバム“ＦＯＬＤＥＲ−ＣＣＣＣＣ”に対して、アルバム“ＦＯＬＤＥＲ−ＢＢＢＢＢ”と“ＦＯＬＤＥＲ−ＡＡＡＡＡ”がすでに再生されたアルバムであり、アルバム“ＦＯＬＤＥＲ−ＤＤＤＤＤ”と“ＦＯＬＤＥＲ−ＥＥＥＥＥ”が次に再生されるアルバムのリスト（アルバム名）であることを示している。また、図７に示したディスプレイ９を有する操作パネル部３には、このディスプレイ９に表示しきれないその前後のリスト（アルバム名）を上下に移動（スクロール）させて表示させるＵＰボタン１０ａ、ＤＯＷＮボタン１０ｂ、および再生させるアルバムを決定する決定スイッチ１０ｃを有している。
【００３７】
そして、ＵＰボタン１０ａおよびＤＯＷＮボタン１０ｂの操作でディスプレイ９上のリスト（アルバム名）を上下に移動させて、次に再生させるアルバムを選択し（ステップＳ１８）、再生したいアルバムを決定すると（ステップＳ１９；ＹＥＳ）、決定スイッチ１０ｃを押圧する。
【００３８】
そして、決定スイッチ１０ｃの押圧により、記憶媒体１４に記録されている前記選択したアルバム（ファイル）がファイル再生部１５によって再生される（ステップＳ２０）。
【００３９】
このように、本発明に係る車載用オーディオ装置によれば、ファイル再生部１５で再生中のアルバム（ファイル）、および記憶媒体１４に記録されている複数の別のアルバム（ファイル）に対し、こららのアルバム（ファイル）にそれぞれ対応している各背表紙画像の情報を記憶媒体１８に保存されているデータから抽出して、これらの背表紙画像を並べるようにしてディスプレイ９に表示させることができる。
【００４０】
これにより、ディスプレイ９には、各アルバム（ファイル）に対応している各背表紙画像のフォント文字、色等がそのまま表示されるので、操作者（運転者など）は、ディスプレイ９に表示された複数のアルバム名に対応した各背表紙画像の中から、選択して再生したいアルバムのアルバム名を直感的に容易に認識することができる。よって、アルバム検索を簡単に行うことができる。
【００４１】
また、ＣＤケースの背表紙画像のみをスキャナ部５でスキャナする構成により、装置本体２の前面にＣＤケースの背表紙側を挿入するＣＤケース挿入口８とその奥側にスキャナ部５を設置することが可能となり、車載用オーディオ装置１を大型化することなくディスプレイ９にアルバム名に対応した背表紙画像を表示させることができる。
【００４２】
更に、スキャナ部５で読み取ったＣＤケースの背表紙画像を、画像加工部１７によりディスプレイ９のサイズに合わせて加工することによって、背表紙画像をディスプレイ９のサイズに合わせて適切な大きさに表示することができる。
【図面の簡単な説明】
【００４３】
【図１】本発明の実施形態に係る車載用オーディオ装置を示す斜視図。
【図２】本発明の実施形態に係る車載用オーディオ装置の構成を示すブロック図。
【図３】ＣＤケースを示す斜視図。
【図４】再生中のファイルに対応したＣＤの背表紙画像を取得（保存）するまでの動作を示すフローチャート。
【図５】本発明の実施形態に係る車載用オーディオ装置の装置本体の前面が操作パネル部で閉じている状態を示す斜視図。
【図６】再生したいアルバムを選択する際の動作を示すフローチャート。
【図７】ディスプレイに表示された複数のアルバム名（背表紙画像）の一例を示す図。
【符号の説明】
【００４４】
１        車載用オーディオ装置
２        装置本体
３        操作パネル部
４        ＣＤ挿入部
５        スキャナ部（スキャナ手段）
６        ＣＤケース（オーディオディスク収納ケース）
７        ＣＤジャケット
７ａ      背表紙
８        ＣＤケース挿入口（ケース挿入口）
９        ディスプレイ（表示手段）
１０      操作ボタン
１１      背表紙画像表示ユニット部
１２      主制御部
１３      ファイル録音部
１４      記憶媒体（第１の記憶媒体）
１５      ファイル再生部（第２の再生手段）
１６      ＣＤ再生部（第１の再生手段）
１７      画像加工部（画像加工手段）
１８      記憶媒体（第２の記憶媒体）
１９      表示制御部（表示制御手段）
【図１】
2007272942.tif 000003
【図２】
2007272942.tif 000004
【図３】
2007272942.tif 000005
【図４】
2007272942.tif 000006
【図５】
2007272942.tif 000007
【図６】
2007272942.tif 000008
【図７】
2007272942.tif 000009